(57)【要約】【課題】ボトルを容易に包み込むことが可能なボトル用包装体の提供【解決手段】ボトル用包装体１は、ボトルＢの底を保持する底部２と、底部の第１方向Ｄ１両側から延出する一対の内帯部３と、底部２の第２方向Ｄ２両側から延出する一対の外帯部４と、を有する。一対の内帯部３は、その端部がボトルＢに巻き付けられるようにしてボトルＢの外周面を覆う。一対の外帯部３の内面には、相互に係合する一対の面ファスナー７が設けられ、ボトルＢを一対の面ファスナー７の間に介在させた状態で一対の面ファスナー７同士が係合される。【選択図】図４
2016222260.tif 000002
【特許請求の範囲】
【請求項１】
第１のボトルの底を保持する第１底部と、
前記第１底部の第１方向両側から延出する一対の第１内帯部と、
前記第１底部の第２方向両側から延出する一対の外帯部と、を有し、
前記第２方向は前記第１方向に対して交差し、
前記一対の第１内帯部は、その端部が前記第１のボトルに巻き付けられるようにして前記第１のボトルの外周面を覆い、
前記一対の外帯部の内面には、相互に係合する一対の第１面ファスナーが設けられ、前記第１のボトルを前記一対の第１面ファスナーの間に介在させた状態で前記一対の第１面ファスナー同士を係合させるように構成されていることを特徴とするボトル用包装体。
【請求項２】
前記一対の外帯部の各々の長さは前記第１のボトルの底面から頂部までの周縁長さよりも長く、前記一対の第１内帯部の各々の長さは前記外帯部の長さよりも短く、前記第１底部から前記第１面ファスナーまでの距離は前記第１内帯部の長さよりも短く設定されていることを特徴とする請求項１に記載のボトル用包装体。
【請求項３】
前記一対の第１内帯部のうち、一方の第１内帯部には第２面ファスナーが設けられ、前記一方の第１内帯部は前記第２面ファスナーによって他方の第１内帯部に固定されることを特徴とする請求項１又は２に記載のボトル用包装体。
【請求項４】
前記一対の第１内帯部は、帯状の内帯体により一体に形成され、
前記一対の外帯部は、帯状に形成された外帯体により一体に形成され、
前記内帯体は前記外帯体の上に十字に重ねて固定されていることを特徴とする請求項１〜３の何れかに記載のボトル用包装体。
【請求項５】
前記第１のボトルの底及び第２のボトルの底を保持する底部と、
前記第２のボトルを覆う一対の第２内帯部と、を備え、
前記底部は、前記第１のボトルの底を保持する前記第１底部と、前記第２のボトルの底を保持する第２底部と、を有し、
前記一対の第２内帯部は、前記第２底部の前記第１方向両側から延出し、
前記一対の第２内帯部は、その端部が前記第２のボトルに巻き付けられるようにして前記第２のボトルの外周面を覆い、
前記一対の外帯部は、前記第１のボトル及び前記第２のボトルを前記一対の第１面ファスナーの間に介在させた状態で前記一対の第１面ファスナー同士を係合させるように構成されていることを特徴とする請求項１〜４の何れかに記載のボトル用包装体。
【発明の詳細な説明】
【技術分野】
【０００１】
本発明は、ボトルを容易に包装できるボトル用包装体に関する。
【背景技術】
【０００２】
従来より、ワインや日本酒などのボトルを持ち運ぶためのボトル用梱包体が提案されている。例えば、特許文献１に開示のボトル用梱包体は、ダンボールからなる本体に補助壁部と保持壁部とが設けられ、本体の底部にてボトルの底を支持し、ボトルの周側面を補助壁部にて保持すると共に、保持壁部に設けられた保持孔をボトルの周側面に係合させるように構成されている。このボトル用梱包体は、梱包されるボトルのサイズに合わせて形成されており、使用時には、折り畳まれた状態の本体を展開した後に、ボトルを内部に挿入させるようにしてボトルを梱包させる。
【０００３】
一方、我が国においては、贈答品を渡す際には直接手で持って渡すことは失礼にあたるとされ、風呂敷に包んで持参するのが礼儀とされている。また、近年では風呂敷の良さが見直されており、お洒落な風呂敷包みの方法が種々提案されている。
【先行技術文献】
【特許文献】
【０００４】
【特許文献１】特開２０００−１４２７８４号
【発明の概要】
【発明が解決しようとする課題】
【０００５】
しかしながら、直方体の箱等であればまだしも、特殊な形状のボトルを風呂敷できれいに包むには知識と慣れが必要であり、誰もが簡単にできるものではなかった。一方、上述したようなボトル用梱包体を用いれば誰でも簡単に梱包できるものの、風呂敷のようにボトル全体を包み込むものではなく、贈答品を渡す際における風呂敷の様な役割は期待できなかった。
【０００６】
本発明は、ボトルを容易に包み込むことが可能なボトル用包装体の提供を目的とする。
【課題を解決するための手段】
【０００７】
本発明の請求項１に記載のボトル用包装体は、第１のボトルの底を保持する第１底部と、前記第１底部の第１方向両側から延出する一対の第１内帯部と、前記第１底部の第２方向両側から延出する一対の外帯部と、を有し、前記第２方向は前記第１方向に対して交差し、前記一対の第１内帯部は、その端部が前記第１のボトルに巻き付けられるようにして前記第１のボトルの外周面を覆い、前記一対の外帯部の内面には、相互に係合する一対の第１面ファスナーが設けられ、前記第１のボトルを前記一対の第１面ファスナーの間に介在させた状態で前記一対の第１面ファスナー同士を係合させるように構成されていることを特徴とする。
【０００８】
本発明の請求項２に記載のボトル用包装体は、前記一対の外帯部の各々の長さは前記第１のボトルの底面から頂部までの周縁長さよりも長く、前記一対の第１内帯部の各々の長さは前記外帯部の長さよりも短く、前記第１底部から前記第１面ファスナーまでの距離は前記第１内帯部の長さよりも短く設定されていることを特徴とする。
【０００９】
本発明の請求項３に記載のボトル用包装体は、前記一対の第１内帯部のうち、一方の第１内帯部には第２面ファスナーが設けられ、前記一方の第１内帯部は前記第２面ファスナーによって他方の第１内帯部に固定されることを特徴とする。
【００１０】
本発明の請求項４に記載のボトル用包装体は、前記一対の第１内帯部は、帯状の内帯体により一体に形成され、前記一対の外帯部は、帯状に形成された外帯体により一体に形成されていることを特徴とする。
【００１１】
本発明の請求項５に記載のボトル用包装体は、前記第１のボトルの底及び第２のボトルの底を保持する底部と、前記第２のボトルを覆う一対の第２内帯部と、を備え、前記底部は、前記第１のボトルの底を保持する前記第１底部と、前記第２のボトルの底を保持する第２底部と、を有し、前記一対の第２内帯部は、前記第２底部の前記第１方向両側から延出し、前記一対の第２内帯部は、その端部が前記第２のボトルに巻き付けられるようにして前記第２のボトルの外周面を覆い、前記一対の外帯部は、前記第１のボトル及び前記第２のボトルを前記一対の第１面ファスナーの間に介在させた状態で前記一対の第１面ファスナー同士を係合させるように構成されていることを特徴とする。
【発明の効果】
【００１２】
本発明の請求項１に係るボトル用包装体によれば、第１のボトルの底を保持する第１底部と、一対の第１内帯部と、相互に係合する第１面ファスナーが設けられた一対の外帯部と、を有するので、ボトルの底を第１底部により保持させ、一対の第１内帯部の端部を第１のボトルに巻き付けた後に、ボトルを間に挟んで外帯部の第１面ファスナー同士を係合させることでボトルを包装でき、ボトルを簡単に包むことができる。
【００１３】
本発明の請求項２に係るボトル用包装体によれば、各外帯部の長さはボトルの底面から頂部までの周縁長さよりも長く設定されているので、外帯部によりボトルを高さ方向全体に亘って覆うことができる。また、第１内帯部の長さは外帯部の長さよりも短く、第１底部から第２面ファスナーまでの距離は第１内帯部の長さよりも短く設定されているので、ボトルに巻き付けられた第１内帯部を間に介在させて第１面ファスナー同士を係合させることができ、ボトルに巻かれた第１内帯部が緩むのを防止して、ボトルを強固に固定できる。
【００１４】
本発明の請求項３に係るボトル用包装体によれば、第２面ファスナーによって一方の第１内帯部が他方の第１内帯部に固定されるので、第１内帯部の緩みを防止して、ボトルを強固に固定できる。
【００１５】
本発明の請求項４に係るボトル用包装体によれば、一対の第１内帯部は帯状の内帯体により一体に形成され、一対の外帯部は帯状に形成された外帯体により一体に形成され、内帯体は外帯体の上に十字に重ねて固定されるので、ボトル用包装体を容易に形成できる。
【００１６】
本発明の請求項５に係るボトル用包装体によれば、第１のボトルと第２のボトルの２本を包装できるので、２本のボトルをまとめて持ち運ぶことができる。また、第１のボトルを第１内帯部で覆い、第２のボトルは第２内帯部で覆うことができるので、複数のボトルを個別に包むことができ、各ボトルを衝撃から良好に守ることができる。更に、第１のボトルと第２のボトルとを外帯部でまとめて一体的に保持させることができるので、個々のボトルがバラバラにならず、持ち運びを安定して行うことができる。
【図面の簡単な説明】
【００１７】
【図１】本発明の第１実施形態に係るボトル用包装体を展開した状態を示す図であって、（ａ）はその平面図、（ｂ）はその底面図。
【図２】図１に示すボトル用包装体を構成する内帯体の分解斜視図。
【図３】図１に示すボトル用包装体を構成する外帯体の分解斜視図。
【図４】図１に示すボトル用包装体によりボトルを包装する手順を示す説明図。
【図５】本発明の第２実施形態に係るボトル用包装体の斜視図。
【発明を実施するための形態】
【００１８】
［第１実施形態］
以下、添付図面を参照して、本発明の第１実施形態に係るボトル用包装体について説明する。図１を参照して、本実施形態に係るボトル用包装体１は全体として可撓性を有し、展開した状態において平面視略十字形状に形成され、中央に位置する底部２（第１底部）と、第１方向Ｄ１における底部２の両側から延出する一対の内帯部３（３ａ，３ｂ）と、第１方向Ｄ１と交差（図１の例では直交）する第２方向Ｄ２における底部２の両側から延出する一対の外帯部４の５つの領域で構成されている。一対の内帯部３（第１内帯部）と一対の外帯部４はそれぞれ帯状に形成されている。
【００１９】
各内帯部３の長さＬ１は、包装されるボトルＢ（第１のボトル：図４）の底面から頂部までの周縁長さＢ１よりも短く、ボトルＢの底面から肩部Ｂａまでの周縁長さＢ２よりも長く設定されている。また、各内帯部３の幅Ｗ１は、ボトルＢの直径Ｗ２よりも広く設定されている。一方の内帯部３ａの先端部内面には、矩形状の雄面ファスナー（第２面ファスナー）５が内帯部３ａの幅方向略全体に渡って設けられ、他方の内帯部３ｂの外面にはポケット６が設けられている。
【００２０】
各外帯部４の長さＬ２はボトルＢの周縁長さＢ１よりも長く設定され、各外帯部４の幅Ｗ３は内帯部３の幅Ｗ１よりも広く設定されている。一対の外帯部４の先端部内面には、相互に係合可能な面ファスナー（第１面ファスナー）７が、外帯部４の幅方向略全体に渡ってそれぞれ設けられ、底部２から面ファスナー７までの距離Ｌ３は内帯部３の長さＬ１よりも短く設定されている。各面ファスナー７と底部２との間にはポケット８が設けられ、各外帯部４の先端部には、面ファスナー７と後述する外部材１１（図３）とを貫通して形成された把持孔９ａを有する把持部９が設けられている。底部２から把持孔９ａまでの距離Ｌ４は、ボトルＢの周縁長さＢ１よりも長く設定されている。
【００２１】
ここで、本実施形態におけるボトル用包装体１は、内帯体１０の下に外帯体２０を直角に重ねて固定されて構成され、内帯体１０と外帯体２０とが重なった部分が底部２を構成し、一対の内帯部３と底部２（底部２の上側の層）とが内帯体１０により一体に形成され、一対の外帯部４と底部２（底部２の下側の層）が外帯体２０により一体に形成されている。
【００２２】
これら内帯体１０と外帯体２０について詳述する。まず、内帯体１０は長尺矩形状に形成され、図２に示す様に、下から順に積層された外部材１１、緩衝材１２及び内部材１３を有する。これら外部材１１、緩衝材１２及び内部材１３は帯状に形成され、縫製等によって相互に固定されている。上述した雄面ファスナー５は内部材１３の上面１３ａに取り付けられ、ポケット６は外部材１１の下面１１ａに設けられている。外部材１１及び内部材１３は例えば布製であって、少なくとも外部材１１には起毛素材が用いられる。
【００２３】
一方、外帯体２０は、図１（ａ）に示す様に、長手方向中央部両側に一対の切欠き部２０ａが形成された長尺略矩形状に形成されている。図３を参照して、この外帯体２０は、長手方向中央部両側に一対の切欠き部２１ａが形成された略長尺矩形状の外部材２１を有し、この外部材２１の上面２１ｂに、上述した一対の面ファスナー７と、ポケット部材２２と、が縫製等によって固定されて構成されている。ポケット部材２２は、外部材２１よりも短い長尺略矩形状を有し、その長手方向中央部両側には一対の切欠き部２２ａが形成されている。このポケット部材２２は、その長手方向両端縁２２ｂを除く部位において外部材２１に固定され、上述した一対のポケット８を構成している。また、この一対のポケット８には一対の緩衝材２３がそれぞれ収容保持されている。
【００２４】
ここで、本実施形態においては、面ファスナー７として、マッシュルームタイプの係合素子を有して構成された雄面ファスナー（例えば、株式会社伸和製の「マジクロス」（登録商標））を用いる。この主の面ファスナーでは、雄面ファスナー同士が係合することになり、雄面ファスナーと雌面ファスナーとを係合させるタイプのものと比較して、耐久性に優れると共に、強固に係合させることができる。
【００２５】
このように構成されたボトル用包装体１は次の様にして用いられる。まず、図４（ａ）に示す様に、ボトル用包装体１の底部２にボトルＢを載置する。次に、一対の内帯部３の端部をボトルＢの肩部Ｂａに（又は首部Ｂｂから肩部Ｂａにかけて）巻き付けるようにして、内帯部３でボトルＢの外周面を覆う（図４（ｂ））。ここで、内帯部３の外面（外部材１１）には起毛素材が用いられていることから、雄面ファスナー５が設けられた内帯部３ａを他方の内帯部３ｂに外側から巻き付けることで、雄面ファスナー５が内帯部３ｂの外面に固定される。即ち、内帯部３の外面に用いられた起毛素材が雌面ファスナーとして機能する。これにより、ボトルＢは第１方向Ｄ１において一対の内帯部３により固定される。また、起毛素材からなる内帯部３ｂの外面を雌面ファスナーとして機能させることにより、内帯部３ｂの外面に雌面ファスナーを取り付けた場合と比較して、内帯部３ｂの剛性を柔らかくでき、内帯部３ｂをボトルＢに巻き付け易くなる。
【００２６】
次に、一対の外帯部４を持ち上げ、ボトルＢを間に挟み込むようにして面ファスナー７同士を係合させる（図４（ｃ））。これにより、ボトルＢの首部Ｂｂ全体が面ファスナー７により強固に固定され、ボトルＢは第２方向Ｄ２においても固定されると共に、ボトルＢの外面はボトル用包装体１により完全に覆われる。また、内帯部３の長さＬ１は底部２から面ファスナー７までの距離Ｌ３よりも長く設定されていることから、面ファスナー７と内帯部３とが部分的に重なり、このように重なった部分においては、雄面ファスナーである面ファスナー７が起毛素材からなる内帯部３の外面（外部材１１）に係合する。よって、ボトルＢを更に強固に固定させることができ、ボトルＢをふらつかせることなく、把持部９を把持して持ち運ぶことができる。
【００２７】
このように、本実施形態におけるボトル用包装体１では、雄面ファスナー５を用いて内帯部３同士を固定し、面ファスナー７を用いて外帯部４同士を固定させるだけで、ボトルＢ全体を簡単に包みこむことができる。また、ボトル用包装体１には布等の可撓性を有する素材が用いられ、内帯部３及び外帯部４をボトルＢに巻き付けるようにして包装することから、ボトル３の寸法や形状が多少変わっても柔軟に対応でき、使い勝手が良い。
【００２８】
また、外帯体２０の中央部には、底部２に対応させて一対の切欠き部２０ａが設けられていることから、比較的直径の小さいボトルＢを用いた場合であっても、外帯体２０の中央部がだぶつくことなくボトルＢをすっきりと包むことができる。
【００２９】
更に、内帯部３は外帯部４によって完全には覆われず、一部が外部に露出することから、内帯部３と外帯部４とを異なる配色にすれば、色のコントラストを楽しむことができ、意匠性を高めることができる。また、内帯部３のポケット６は、この様に外部に露出する部分に設けられており、ここには例えばワインオープナー等を収容させることができる。
【００３０】
ボトル用包装体１は緩衝材１２，２３を有することから、持ち運ぶ際におけるボトルＢの破損を防止できると共に、これらの緩衝材１２，２３が保温冷材の役割をも果たし、例えば冷やした飲料を保冷しながら持ち運ぶこともできる。更に、破損しやすいボトルＢの肩部Ｂａは内帯部３と外帯部４とによって２重に覆われて保護され、ボトルＢの肩部Ｂａの破損をより確実に防止することができる。内帯部４のポケット８に保冷剤を入れれば、保冷効果を更に高めることもできる。
【００３１】
［第２実施形態］
次に、本発明の第２実施形態に係るボトル用包装体について説明する。図５を参照して、図示のボトル用包装体１００は、上述したボトル用包装体１と略同一の構成を有するが、ボトル用包装体１は１本のボトルＢを包装するものであるのに対し、ボトル用包装体１００は複数（図５の例では２本）のボトルＢ,Ｂを包装できる点で異なる。
【００３２】
即ち、ボトル用包装体１００の底部１０２は、一方のボトルＢ（第１のボトル）の底を保持する第１底部１０２ａと、他方のボトルＢ（第２のボトル）の底を保持する第２底部１０２ｂと、を有し、これら第１底部１０２ａと第２底部１０２ｂは、第１方向Ｄ１に並んで設けられている。第１方向Ｄ１において、第１底部１０２ａの両側からは一対の第１内帯部１０３Ａが延出し、第１底部１０２ｂの両側からは一対の第２内帯部１０３Ｂが延出している。これら一対の第１内帯部１０３Ａと一対の第２内帯部１０３Ｂは、上述した一対の内帯部３と実質同一であるので詳細な説明は省略する。また、第２方向Ｄ２における底部１０２の両側からは一対の外帯部１０４が延出している。この一対の外帯部１０４は、上述した一対の外帯部４と略同一であるが、第１方向Ｄ１における幅Ｗ４が外帯部４の幅Ｗ３よりも広く設定されている。
【００３３】
このボトル用包装体１００は、上述した外帯体２０よりも幅広の外帯体の上に、２本の内帯体１０を外帯体に対して直角となるように十字に重ねて固定させることで作成できる。
【００３４】
ボトル用包装体１００は次の様にして用いられる。まず、ボトル用包装体１００の第１底部１０２ａに一方のボトルＢを載置し、一対の第１内帯部１０３Ａの端部をボトルＢの肩部に（又は首部から肩部にかけて）巻き付けるようにして固定させる。他方のボトルＢについても同様に、ボトル用梱包体１００の第２底部１０２ｂに載置し、一対の第２内帯部１０３Ｂの端部をボトルＢに巻き付けるようにして固定させる（図５参照）。次に、一対の外帯部１０４を持ち上げ、一対のボトルＢ,Ｂを間に挟み込むようにして面ファスナー７同士を係合させればよい。
【００３５】
このように、内帯部１０３Ａ及び内帯部１０３Ｂを用いて各ボトルＢを個別に覆うことにより、各ボトルＢをしっかりと保持することができる。また、一対の外帯部１０４で複数のボトルＢをまとめて覆うことにより、ボトルＢ,Ｂ同士がバラバラになるのを防止して、複数のボトルＢを一体的に保持することができる。また、相互に隣接して底部１０２に載置されるボトルＢ,Ｂの間には一方の第１内帯部１０３Ａ及び一方の第２内帯部１０３Ｂが介在するため、ボトルＢ,Ｂ同士が直接的に接触することがなく、ボトルＢ,Ｂ同士がぶつかって破損するのを回避できる。
【００３６】
以上、本発明の実施形態に係るボトル用包装体について添付の図面を参照して説明したが、本発明はかかる実施形態に限定されず、本発明の範囲を逸脱することなく種々の変形乃至修正が可能である。
【００３７】
例えば、上記実施形態においては一方の内帯部３ａ（１０３Ａ,１０３Ｂ）にのみ雄面ファスナー５を設け、これを起毛素材からなる他方の内帯部３ｂの外面に係合させる構成としたが、他方の内帯部３ｂ（１０３Ａ,１０３Ｂ）の外面に雄面ファスナー５と係合可能な面ファスナーを設けても良く、この場合には内帯部３ｂの外面に必ずしも起毛素材を用いる必要はない。また、上記実施形態においては、各面ファスナー７に雄面ファスナーを用いたが、一方の面ファスナー７を雄面ファスナーとし、他方の面ファスナー７を雌面ファスナーとしてもよく、一対の面ファスナー７同士が相互に係合できれば、その形態に制限はない。
【００３８】
また、上記実施形態においては、内帯体１０の外部材１１及び内部材１３と外帯体１０の外部材２１を布製としたが、本発明はこれに限定されず、適度な強度と可撓性を有する素材であればよい。
【００３９】
上記実施形態においては、面ファスナー７は外帯部４（１０４）の先端部内面にのみ設けられたが、面ファスナー７を外帯部４（１０４）の内面に長さ方向（第２方向Ｄ２）全体にわたって設けてもよく、またポケット８及び／又は緩衝材２３を省略してもよい。更に、外帯体２０の切欠き部２０ａ（外部材２１の切欠き部２１ａ,ポケット部材２２の切欠き部２２ａ）を省略してもよい。
【符号の説明】
【００４０】
１、１００  ボトル用包装体
２  底部（第１底部）
３  内帯部（第１内帯部）
４,１０４  外帯部
５  雄面ファスナー
７  面ファスナー
８  ポケット
９  把持部
１０  外帯体
１２  緩衝材
２０  内帯体
２０ａ  切欠き部
２３  緩衝材
１０２  底部
１０２ａ  第１底部
１０２ｂ  第２底部
１０３Ａ  第１内帯部
１０３Ｂ  第２内帯部
Ｂ  ボトル
【図１】
2016222260.tif 000003
【図２】
2016222260.tif 000004
【図３】
2016222260.tif 000005
【図４】
2016222260.tif 000006
【図５】
2016222260.tif 000007